(57)【要約】【課題】不定期に発生する会議、自動車運転、外出での電車、コンサートなどに対応させるために、着信時に使用者が応答メッセージを選択し送信者に伝えることが可能な移動通信端末の提供。【解決手段】発信者と受信者の関係およびその時の受信者の状況に応じた適切な応答メッセージを発信者に伝えるために、発信者番号（５１）が発信者情報記憶手段（４）に記録されている場合は氏名などの発信者情報を表示手段（３０）に表示し、応答メッセージ記憶手段（６）に記録されている複数の応答メッセージの件名などを表示手段（３０）に表示し使用者がユーザ入力手段（２）を操作して複数の応答メッセージから１つを選択可能とした。【選択図】　図１
2004096431.tif 000002
【特許請求の範囲】
【請求項１】
無線信号を送受信して無線通信を行う無線通信手段と、
無線通信手段を制御して無線信号を送出するタイミングを規定し、この無線通信手段が取り出した信号を制御部に送る通信制御手段と、
使用者が端末を操作するための複数のボタン等を有するユーザ入力手段と、
使用者が端末からの情報を見るなどが可能な表示手段と、
使用者へ着信などがあることを知らせるための報知手段と、
発信者番号と氏名などの発信者情報をあらかじめ記憶する発信者情報記憶手段と、
発信者番号を含む発信側端末から着信側端末への発呼信号を一時記憶する発呼信号記憶手段と、
発信者に応答する応答メッセージをあらかじめ記憶する応答メッセージ記憶手段と、
発呼信号に含まれる発信者番号が発信者情報記憶手段に記録されているかを検索し記録されている場合は氏名などの発信者情報を表示手段に表示する発信者番号検索手段と、
応答メッセージ記憶手段に記録されている複数の応答メッセージの件名などを表示手段に表示し使用者がユーザ入力手段を操作して複数の応答メッセージから選択した応答メッセージを発信者へ送信するために通信制御手段へ送出する応答メッセージ選択手段と、
を有することを特徴とする移動通信端末。
【請求項２】
着信後からの時間を計数するタイマー手段と、
使用者がユーザ入力手段を操作して複数の応答メッセージから１つの応答メッセージを選択せずにタイマー手段が一定時間を計数した時にあらかじめ決められた標準の応答メッセージを発信者へ送信する応答メッセージ選択手段と、
を有することを特徴とする請求項１記載の移動通信端末。
【請求項３】
応答メッセージ選択手段が発信者へ応答メッセージを送信した後、発信側の電話装置から送出される用件である音声の伝言メモを端末自体に録音する録音手段を有することを特徴とする請求項１記載の移動通信端末。
【請求項４】
着信後に発信者番号検索手段が氏名などの発信者情報を表示手段に表示した内容を使用者が即座に確認できるように、また使用者がユーザ入力手段を操作して応答メッセージ記憶手段に記録されている複数の応答メッセージの中から使用者の現在の状況に応じた応答メッセージをすぐに選択できるように、移動通信端末を使用者の手首に取付けるバンドを有することを特徴とする請求項１から３記載の移動通信端末。
【発明の詳細な説明】
【０００１】
【発明の属する技術分野】
本発明は、発信者番号に応じて発信者氏名などを端末の表示部に表示することができる移動通信端末に係り、特に、着信者の状況に応じた応答が可能な移動通信端末に関する。
【０００２】
【従来の技術】
携帯電話は時間や場所などの制約を受けずにコミュニケーションを図ることができるという利便性が評価され急速に普及している。しかし、携帯電話を用いて実際に「いつでも、どこでも」相手と話をするには、下記の条件のいずれにもあてはまらないことが必要である。
【０００３】
条件１）受信側の携帯電話が通信圏外または電源オフである。
条件２）通信圏内にあっても、使用者が携帯電話から離れている。
条件３）受信側が、睡眠中、自動車運転中などの携帯電話を操作できない状況である。
条件４）電車中、会議中などの携帯電話を操作できても通話できない状態である。
条件５）話をしたくない相手である。
【０００４】
これらの条件が成立してしまう場合の対策として様々の提案がなされ実用にもなっている。条件１が成立する場合の対応策としては、留守番電話サービスがある。留守番電話サービスは、携帯電話が通信圏外にある場合や電源オフである場合に、交換機が留守番サービスセンタにある音声蓄積応答装置に接続して通信圏外の相手に対する音声メッセージを蓄積し、その相手からの要求で音声メッセージを伝えるサービスである。しかし、使用者がサービス料を負担する必要があるという課題を有していた。
【０００５】
条件２や条件５が成立する場合の対応策としては、伝言メモがある。伝言メモは、着信者側の端末自体に発信者からの音声メッセージを記録することができる機能である。このような携帯電話によれば、着信者が電話にでられないときに自動着信して応答メッセージを伝え、相手の用件を伝言メモとして録音することができる。つまり、着信者は「留守番電話サービスセンタ」等の機関に接続することなく相手の用件を確認することができるので、通話料を課金されることなく発信者からの音声メッセージを聞くことができ、経済的である。
【０００６】
条件３や条件４が成立する場合の対応策としては、伝言メモの改良版として、特開２０００−１１５８３８や特開２００１−７７９０９がある。特開２０００−１１５８３８では、着信者が電話にでられないときに自動着信して、発信者と時間（着信時の曜日や時間帯）に応じた応答メッセージを発信者に伝え、発信者は必要に応じて着信側の端末に伝言メモを録音できた。この場合、発信者と着信時間に応じて応答メッセージを伝えるので、睡眠や通勤など、曜日と時間帯で電話に出られない状況が決まる場合には都合が良かった。
【０００７】
【発明が解決しようとする課題】
特開２０００−１１５８３８では、あらかじめ設定した発信者と時間に応じて応答メッセージを伝えるので、曜日と時間帯で電話に出られない状況が決まる場合には都合が良かった。しかし、不定期に発生する会議、自動車運転、外出での電車、コンサートなどに対応させるために、発信者と時間およびそれに対応する応答メッセージをあらかじめ設定しておくことは実使用上ほとんど不可能であった。また、定期的に発生する睡眠や通勤などの全ての時間帯と全ての発信者に応じた応答メッセージをあらかじめ全て選択しておくことは使用者にとって非常に負担であった。
【０００８】
特開２００１−７７９０９では、自動着信解除タイマーを有し、自動着信応答モードを解除するまでの時間を設定でき、解除するまでの時間に応じて応答メッセージの内容を変更することが可能であった。これにより不定期に発生する会議、自動車運転、外出中の電車、コンサートなどに対応可能となった。つまり、会議が始まる前に会議終了までの時間をセットすることで、会議中にかかってきた電話に対して自動着信応答モードで例えば、次のような応答メッセージを発信者に伝えることができた。
「ただいま会議中のため電話にでられません。３０分後にこちらからお電話いたします。」
【０００９】
なお、応答メッセージ中の「３０分」は、自動着信解除タイマーが解除動作するまでの時間であり、解除するまでの時間に応じて変化するようにした。
この場合、会議中に電話がかかってくるかどうか分からないのに会議の前にいちいちタイマーを設定するのは面倒であった。また、会議が予定通りに終了しない場合、タイマー時間を再設定する必要があるので、手間がかかり不便だった。
【００１０】
また重要な会議だと思い、会議が始まる前に自動着信応答モードを設定したが、実際に会議が始まって見ると、さほど重要な会議ではないために自動着信応答モードを解除するといった手間も必要になることがあった。
【００１１】
かかって来た電話にたいして着信者がどのように対応するかは、
１）その時の着信者の状況。
２）発信者と着信者の関係。
の２点によって微妙に左右される複雑なものであり、あらかじめ設定した応答メッセージを発信者名と時間帯で自動応答できるものではない。また、着信者の状況だけで自動応答しきれるものではない。
【００１２】
【課題を解決するための手段】
発信者と着信者の関係、およびその時の着信者の状況に応じた適切な応答メッセージを発信者に伝えるために、発信者番号（５１）が発信者情報記憶手段（４）に記録されている場合は氏名などの発信者情報を表示手段（３０）に表示し、応答メッセージ記憶手段（６）に記録されている複数の応答メッセージの件名などを表示手段（３０）に表示し着信者がユーザ入力手段（２）を操作して複数の応答メッセージから１つを選択可能とした。
【００１３】
また、表示手段（３０）に表示した氏名などの発信者情報を着信者が即座に確認できるように、また着信者がユーザ入力手段（２）を操作して複数の応答メッセージの中から着信者の現在の状況に最も適切な応答メッセージをすぐに選択できるように、移動通信端末（１００）を使用者の手首に取付けるバンド（１０１）を設けた。
【００１４】
【実施例】
以下、本発明の実施例を図面をもとに説明する。本発明による第１の実施例を図１を用いて説明する。図１は、２次電池などで駆動される移動通信端末（１００）の全体構成を示すブロック構成図である。移動通信端末（１００）は、使用者からの指示によりメッセージ選択応答自動着信モード（以降、メッセージ選択モードと言う）に設定可能である。メッセージ選択モードでは、着信時に表示される送信者の氏名などを着信者が確認し、複数の応答メッセージの中から現在の状況に最も適切な応答メッセージを着信者が選択すると、移動通信端末（１００）は選択された応答メッセージを送信者に返送する。また必要であれば、送信側の通信端末から送られる伝言メモを所定の時間分だけ録音する。
【００１５】
発信者と着信者の関係、およびその時の着信者の状況に応じた適切な応答メッセージの一例を図５に示した。「」で囲んだ内容がそれぞれの状況に応答メッセージの一例であり、［］で囲んだ内容は、表示手段（３０）に表示する表示内容の一例である。
【００１６】
発信者と着信者の関係により、言葉遣いなどを変える場合の例として、発信者（Ｍ１００）がお客さまなど丁重に対応する相手（Ｍ１０１）の場合と、友人など気軽に対応する相手（Ｍ１０２）の場合を示した。着信時の着信者側の状況の例として、こちらから後で電話する場合（Ｍ１１０）と用件を録音して欲しい場合（Ｍ１２０）がある。例えば、お客さまなど丁重に対応する相手（Ｍ１０１）に対して、用件を録音して欲しい場合（Ｍ１２０）は、「ただいま電話にでることが出来ません。ピーと鳴ったら、用件をお話ください。」（Ｍ１２１）の応答メッセージが一例としてあることを示している。
【００１７】
さらに、着信時の着信者の状況の例として詳細に分けると、自動車運転中（Ｍ１３０）、電車内移動中（Ｍ１４０）、接客中（Ｍ１５０）などの状況に応じた応答メッセージをあらかじめ作成しておく。なお、図５の［お客様−録音］（Ｔ１２１）などの［］で囲んだ内容は、表示手段（３０）に表示する表示内容の一例である。
【００１８】
図１の無線通信手段（１）は、周波数変換器、ＲＦ変調器、ＲＦ復調器などで構成され、通信網の基地局との間で無線信号を送受信して無線通信を行う。通信制御手段（１１）は、無線通信手段（１）を制御して、無線信号を送出するタイミングを規定したり、無線通信手段（１）が取り出した信号に応じた通知を制御部（７）に送る。ユーザ入力手段（２）は、キーパッドやボタンなどで構成され、使用者が移動通信端末（１００）への指示を入力する部分である。表示手段（３０）は、ＬＣＤなどで構成され、制御部（７）の制御に従って、文字や図形等の画像を表示し、使用者へ移動通信端末（１００）の動作状況を伝える部分である。
【００１９】
報知手段（３１）は、ＬＥＤ、スピーカ、バイブレータなどで構成され、着信音を出力したり、移動通信端末（１００）を振動させ、使用者に着信などを通知する。制御部（７）は、ＲＯＭ、ＲＡＭ、ＣＰＵなどで構成され、移動通信端末（１００）全体の動作を制御し、発信者番号検索手段（７１）と、応答メッセージ選択手段（７２）と、タイマー手段（７３）を有している。
【００２０】
発信者情報記憶手段（４）には、発信者番号と氏名などの発信者情報をあらかじめ記憶する。発呼信号記憶手段（５）は、着信時に発信者番号（５１）を含む発信側端末から着信側端末への発呼信号を一時記憶する。応答メッセージ記憶手段（６）は、発信者と着信者の関係、およびその時の着信者の状況に応じた適切な応答メッセージを複数記憶する。録音手段（８）は、送信側の通信端末から送出される用件である伝言メモを所定の時間分だけ録音する。
【００２１】
図１に示した移動通信端末（１００）におけるメッセージ選択モードの動作を図２の流れ図を用いて説明する。待ち受け状態（Ｓ３０１）にある移動通信端末（１００）に、送信相手からの着信が発生（Ｓ３０２）すると、送信相手からの送信内容が通信制御手段（１１）から発呼信号記憶手段（５）に一時記憶される。
発呼信号記憶手段（５）に一時記憶された相手方からの送信内容に相手の電話番号が含まれている場合（Ｓ３０３、番号通知ありの場合）、発信者番号検索手段（７１）は、発信者番号（５１）に記憶した相手の電話番号と一致する電話番号が発信者情報記憶手段（４）に存在するかどうかを検索する。
【００２２】
検索（Ｓ３０４）の結果、一致する電話番号が存在する場合は、その電話番号に対応した氏名などの発信者情報をＬＣＤなどの表示手段（３０）に表示（Ｓ３０５）する。また検索の結果、一致する電話番号が存在しない場合は、その電話番号を表示手段（３０）に表示（Ｓ３０６）する。発信者情報を表示後、制御部（７）は、報知手段（３１）に報知信号を出力し使用者に着信があることを報知（Ｓ３０７）する。
【００２３】
制御部（７）は、メッセージ選択モードが選択されているかを判断（Ｓ３０８）し、メッセージ選択モードでなければ、通常の通話処理（Ｓ３１０）後、通話終了（Ｓ３１１）する。メッセージ選択モードであれば、メッセージ選択動作（Ｓ３０９）後、通話終了（Ｓ３１１）する。
【００２４】
メッセージ選択動作を図３の流れ図を用いて説明する。制御部（７）は、図５に示した［お客様−録音］　（Ｔ１２１）などの応答メッセージの一覧を表示手段（３０）に表示する（Ｓ４０３、Ｓ４０４）。応答メッセージの一覧を表示手段（３０）に表示する際は、録音手段（８）の録音用メモリに空きがあるか否かを判断（Ｓ４０２）し、空きがある場合は、全ての応答メッセージの一覧を表示手段（３０）に表示（Ｓ４０３）し、空きが無い場合は、録音要求のない応答メッセージのみの一覧を表示手段（３０）に表示（Ｓ４０４）してもよい。
【００２５】
使用者は、図２の報知（Ｓ３０７）により、着信があることに気づき、表示手段（３０）に表示された発信者情報（Ｓ３０５）を見て、誰からの着信かを確認後、表示手段（３０）に表示される応答メッセージ一覧表示（Ｓ４０３、Ｓ４０４）の中から最も適切な応答メッセージを１つ選択する（Ｓ４０５の「ユーザ選択あり」）。使用者が応答メッセージを選択すると、制御部（７）は着信応答し（Ｓ４０６）、選択された応答メッセージを相手に送信する（Ｓ４０８）。
【００２６】
応答メッセージをあらかじめ設定する際に、送信者からの伝言メモを録音するか否かを設定しておけば、その設定に従って録音することも可能である。録音要求が設定されていれば（Ｓ４１０の「録音要求あり」）、録音手段（８）は、制御手段（７）の制御により送信者からの伝言を音声データとして録音用メモリに一定時間だけ録音する（Ｓ４１１）。制御手段（７）は、録音終了後、通信を終了（Ｓ３１１）する。録音要求が設定されていなければ（Ｓ４１０の「録音要求なし」）、送信者からの伝言を録音せずに通信を終了（Ｓ３１１）する。
【００２７】
なお、図３のユーザ選択（Ｓ４０５）で、使用者がある一定時間、応答メッセージを選択しない場合（Ｓ４０５の「ユーザ選択なし」）、着信応答（Ｓ４０７）後、あらかじめ設定されたデフォルトの応答メッセージを送信する（Ｓ４０９）。
【００２８】
図４は、本発明による移動通信端末の第二実施例を示す外観図である。移動通信端末（１００）を腕時計のサイズまで小型化し、バンド（１０１）により移動通信端末（１００）を手首に取付けて携帯する。図４のユーザ入力手段は、押しボタン（２２）とカーソル移動ボタン（２１）である。表示手段は、ＬＣＤパネルなどの低消費電力の表示装置を用いる。本実施例は、バンド（１０１）により移動通信端末（１００）を常に手首に携帯するので、次のような利点を有する。
【００２９】
（ア）着信時、表示手段（３０）に表示される氏名などの発信者情報を着信者が即座に確認できる。
（イ）表示される複数の応答メッセージの中から着信者の現在の状況に最も適切な応答メッセージをすぐに選択できる。
（ウ）接客中など第三者と会話中の着信時、移動通信端末をポケットなどから取り出す動作が無いので、第三者に迷惑をかけない。あるいは、着信があったことを第三者に知られずに、応答メッセージを返信できる。
（エ）移動通信端末（１００）が常に手首に接しているので、使用者は、着信時の報知手段の１つである振動を確実に感知できる。あるいは、少ない振動で使用者が感知するので、より省エネルギーを実現できる。
【００３０】
【発明の効果】
本発明のメッセージ選択モードは、発信者と着信者の関係、およびその時の着信者の状況に応じた適切な応答メッセージを発信者に伝えるので、不定期に発生する会議、自動車運転、外出での電車、コンサートなど着信者の今の状況に対応して応答メッセージを送信できる。また、本発明のメッセージ選択モードは、着信後に着信者の状況に応じて応答メッセージを送信するので、会議中に電話がかかってくるかどうか分からないのに会議の前にいちいちタイマーを設定する手間が不要である。
【００３１】
さらに、移動通信端末を使用者の手首に取付けるためのバンドを設けたので、表示手段に表示した氏名などの発信者情報を着信者が即座に確認でき、かつ着信者がユーザ入力手段を操作して複数の応答メッセージの中から着信者の現在の状況に最も適切な応答メッセージをすぐに選択できる。
【図面の簡単な説明】
【図１】本発明による移動通信端末の第一実施例を示すブロック構成図
【図２】本発明による移動通信端末の第一実施例の動作を示す第一の流れ図
【図３】本発明による移動通信端末の第一実施例の動作を示す第二の流れ図
【図４】本発明による移動通信端末の第二実施例を示す外観図
【図５】本発明による移動通信端末の応答メッセージの一例
【符号の説明】
１　　無線通信手段
２　　ユーザ入力手段
４　　発信者情報記憶手段
５　　発呼信号記憶手段
６　　応答メッセージ記憶手段
７　　制御部
８　　録音手段
１１　通信制御手段
２１　カーソル移動ボタン
２２　押しボタン
３０　表示手段
３１　報知手段
５１　発信者番号
７１　発信者番号検索手段
７２　応答メッセージ選択手段
７３　タイマー手段
１００　移動通信端末
１０１　バンド
【図１】
2004096431.tif 000003
【図２】
2004096431.tif 000004
【図３】
2004096431.tif 000005
【図４】
2004096431.tif 000006
【図５】
2004096431.tif 000007